【事件の表示】
　平成　４年　特　許　願　第１８４８８１号「増幅回路」拒絶査定に対する審判事件（平成６年２月４日出願公開、特開平６−２９７５６）について、次のとおり審決する。
【結論】
　本件審判の請求は、成り立たない。
【理由】
１．本願の手続の経緯及び本願発明の要旨
　本願は、平成４年７月１３日の出願であって、本願の請求項１に係る発明（以下、「本願発明」という。）の要旨は、平成１０年８月４日付け手続補正書、及び平成１０年１１月１９日付け手続補正書で補正された明細書と図面の記載からみてその特許請求の範囲の請求項１に記載された次の事項のとおりのものと認める。
　「カレントミラー接続された第１および第２のパイポーラトランジスタと、前記第１および第２のパイポーラトランジスタのベースに接続された入力端子と、前記第２のパイポーラトランジスタのコレクタと電源ラインとの間に接続された誘導負荷と、前記誘導負荷と前記第２のパイポーラトランジスタのコレクタとの間に接続された出力端子と、前記第１のバイポーラトランジスタのコレクタと前記電源ラインとの間に接続された定電流源と、前記第１のパイポーラトランジスタのコレクタと前記入力端子との間に接続された第１の抵抗素子とを有し、前記第１および第２のバイポーラトランジスタには共通したベースバイアス電圧が印加されることを特徴とする増幅回路。」
２．引用例
　これに対して、原審の拒絶の理由で引用された特開昭４９−１７６５４号公報（以下、「引用例１」という。）の特に第１０図とその説明には、「増幅用トランジスタＱ´１１のベースに第１の入力信号を印加し、前記トランジスタＱ´１１のエミタは抵抗１１´Ｅを介して接地し、前記トランジスタＱ´１１のコレクタと電源との間に負荷抵抗１１´Ｃを接続すると共に、前記トランジスタＱ´１１のコレクタに第１の出力端子を接続し、前記トランジスタＱ´１１のベースを抵抗１１´Ｂを介してバイアス用トランジスタＱ２のベースに接続し、前記トランジスタＱ２のベースとコレクタとの間に抵抗２Ｂを接続し、前記トランジスタＱ２のエミッタは抵抗２Ｅを介して接地し、前記トランジスタＱ２のコレクタと電源との間にダイオードＤ、抵抗２Ｃの順に直列接続し、前記ダイオードＤと抵抗２Ｃの接続点を抵抗１１Ｂを介して増幅用トランジスタＱ１１のベースに接続し、前記トランジスタＱ１１のベースに第２の入力信号を印加し、前記トランジスタＱ１１のコレクタを直接電源に接続し、前記トランジスタＱ１１のエミッタを抵抗１１Ｅに接続すると共に増幅用トランジスタＱ１２のベースに接続し、抵抗１１Ｅの他端は接地され、前記トランジスタＱ１２のエミッタを抵抗１２Ｅを介して接地し、前記トランジスタＱ１２のコレクタと電源との間に抵抗１２Ｃを接続し、前記トランジスタＱ１２のコレクタに第２の出力端子を接続した増幅回路」
が記載されている。
　また、原審の拒絶の理由で引用された特開平４−５４７１２号公報（平成４年２月２１日発行、以下、「引用例２」という。）の特に第３図または第４図とその説明には、
「増幅回路２２を構成するトランジスタＱ２のべ−スに入力信号を印加し、前記トランジスタＱ２のエミッタは接地し、前記トランジスタＱ２のコレクタと電源との間にダイオード接続したトランジスタＱ３、またはダイオード接続したトランジスタＱ３と抵抗Ｒの直列回路を接続し、前記トランジスタＱ２のコレクタをトランジスタＱ４のベースに接続し、前記トランジスタＱ４のコレクタに出力端子を接続すると共に、抵抗ＲＬを接続し、抵抗ＲＬの他端を接地し、前記トランジスタＱ２のベースを抵抗Ｒｉを介して、基準電圧源回路２１を構成するトランジスタＱ１のベースに接続し、前記トランジスタＱ１のベースとコレクタとを直接接続し、前記トランジスタＱ１のエミッタは接地し、前記トランジスタＱ１のコレクタと電源との間に定電流源Ｉｒｅｆを接続した増幅回路」
が記載されている。
３．対比
　そこで、本願発明と引用例１に記載されたものとを対比すると、本願発明の「第２のパイポーラトランジスタ」、「第１のパイポーラトランジスタ」、「第１の抵抗素子」は、引用例１に記載された「増幅用トランジスタＱ´１１」、「バイアス用トランジスタＱ２」、「抵抗２Ｂ」にそれぞれ相当していることは明白であるので、両者は、
（１）．本願発明では、第１および第２のパイポーラトランジスタのベース同士を直結し、カレントミラー接続して、第１および第２のパイポーラトランジスタには共通したベースバイアス電圧が印加されているのに対して、引用例１に記載された増幅用トランジスタＱ´１１のベースとバイアス用トランジスタＱ２のベースとの間には抵抗１１´Ｂを接続している点、
（２）．本願発明では、第２のパイポーラトランジスタのコレクタと電源ラインとの間に誘導負荷が接続されているが、引用例１に記載された増幅用トランジスタＱ´１１のコレクタと電源との間に負荷抵抗１１´Ｃが接続されている点、
（３）．本願発明では、第１のパイポーラトランジスタのコレクタと電源ラインとの間に定電流源が接続されているが、引用例１に記載されたバイアス用トランジスタＱ２のコレクタと電源との間にダイオードＤ、抵抗２Ｃの順に接続されている点、で相違し、その余の点では一致するものと認める。
４．当審の判断
　　しかしながら、相違点（１）について、
　引用例１に記載された増幅用トランジスタＱ´１１とバイアス用トランジスタＱ２とは、請求人が提出した審判請求理由補充書中で自らいっているように、実質的にカレントミラー接続となっており、増幅用トランジスタＱ´１１のベースとバイアス用トランジスタＱ２のベースとの間に抵抗１１´Ｂが接続されているが、増幅用トランジスタＱ′１１のベースとエミッタ間の直流電圧と抵抗１１´Ｅの直流降下電圧との和の直流電圧が、バイアス用トランジスタＱ２のベースとエミッタ間の直流電圧と抵抗２Ｅの直流降下電圧との和の直流電圧とが等しければ、抵抗１１´Ｂを接続する必要がないことは明らかである。　この点について、請求人は審判請求理由補充書で、「引用例１の第１０図では、トランジスタＱ′１１のベースとトランジスタＱ２のベースとの間には抵抗１１´Ｂを接続しているため、これらのトランジスタに製造ばらつきが生じたときにｈＦＥ（エミッタ接地電流利得）等の特性がばらつき、回路の直流動作点がずれるといった問題を生じます。」と主張している。しかしながら、引用例１の第１０図に記載された増幅用トランジスタＱ´１１とバイアス用トランジスタＱ２に製造ばらつきが生じたときには、トランジスタＱ′１１のベースとエミッタ間の直流電圧と抵抗１１′Ｅの直流降下電圧との和の直流電圧が、トランジスタＱ２のベースとエミッタ間の直流電圧と抵抗２Ｅの直流降下電圧との和の直流電圧とが等しくならない場合が生じるので、引用例１の第１０図には、増幅用トランジスタＱ´１１のベースとバイアス用トランジスタＱ２のベースとの間に抵抗１１´Ｂを接続することが記載され、該抵抗１１´Ｂを接続することによって、抵抗１１´Ｂの直流降下電圧とトランジスタＱ′１１のベースとエミッタ間の直流電圧と抵抗１１´Ｅの直流降下電圧との和の直流電圧が、トランジスタＱ２のベースとエミッタ間の直流電圧と抵抗２Ｅの直流降下電圧との和の直流電圧とを等しくなるように抵抗１１´Ｂで微調整を行っているものである。すなわち、増幅用トランジスタＱ´１１とバイアス用トランジスタＱ２に製造ばらつきが生じたときには、抵抗１１´Ｂを微調整することによって、トランジスタＱ´１１のベース電位を所望の値に調整するものである。これに対して本願発明では、第１および第２のパイポーラトランジスタのベースを直結しているため、かえって本願発明は、第１および第２のバイポーラトランジスタに製造ばらつきが生じたときに、第１のパイポーラトランジスタのベースとエミッタ間の直流電圧と第２のパイポーラトランジスタのベースとエミッタ間の直流電圧とが等しくならないおそれが生じ、問題があるものであるから、審判請求理由補充書での所論は採用することはできない。
　相違点（２）について、
　引用例１に記載された増幅用トランジスタＱ´１１のコレクタと電源との間には負荷抵抗１１´Ｃが接続されているが、この負荷抵抗１１´Ｃに代えて、誘導負荷を接続しても何ら不都合はないことは当業者に明らかであるから、本願発明の誘導負荷は格別のものではない。
　相違点（３）について、
　引用例１に記載されたトランジスタＱ２のコレクタと電源との間にはダイオードＤ、抵抗２Ｃの順に直列接続しているが、ダイオードＤは、大略、ダイオードＤの順方向電圧とバイアス用トランジスタＱ２のベースとエミッタ間の直流電圧との和
が、増幅用トランジスタＱ１１のベースとエミッタ間の直流電圧と増幅用トランジスタＱ１２のベースとエミッタ間の直流電圧との和に等しくするために設けたものであって、増幅用トランジスタが１個の場合は、ダイオードＤは必要のないものである。そして、引用例２の第３図または第４図には、基準電圧源回路２１を構成するトランジスタＱ１のコレクタと電源との間に定電流源Ｉｒｅｆを接続することが記載されているので、本願発明の第１のパイポーラトランジスタのコレクタと電源ラインとの間に定電流源を接続することは、引用例２に記載されたものを単に利用したにすぎず、そのために格別の効果を奏するものと認めることはできない。
５．むすび
　したがって、本願発明は、引用例１及び引用例２に記載されたものに基づいて当業者が容易に発明をすることができたものと認められるので、特許法第２９条第２項の規定により特許を受けることができない。
　よって、結論のとおり審決する。